(57)【要約】【課題】  表示すべき情報を予め定められた条件を満たしたときに表示でき、且つ可搬性に優れた情報表示装置を提供する。【解決手段】  情報表示装置１の制御部１３は、有効期限が過ぎたと判定した場合に表示内容を変更させ、これに加えて、電池１１の電圧がしきい値電圧以下になったと判定した場合に表示内容を変更させる。【選択図】図１
2005292699.tif 000002
【特許請求の範囲】
【請求項１】
表示すべき情報を予め定められた条件を満たしたときに電池の電力により表示するとともに電池の電力が不足しても表示内容を保持する表示手段と、
前記電池の電力により、前記条件を満たしているか否かを判定し、条件を満たしていないと判定した場合に表示内容を変更させる条件判定表示変更手段と、
前記電池の電圧が該電圧について記憶したしきい値電圧以下になったか否かを判定し、当該しきい値電圧以下になったと判定した場合に表示内容を変更させる電池電圧判定表示変更手段と
を備えたことを特徴とする情報表示装置。
【請求項２】
有効期限を持つ情報を電池の電力により表示するとともに電池の電力が不足しても表示内容を保持する表示手段と、
前記電池の電力により、前記有効期限が過ぎたか否かを判定し、有効期限が過ぎたと判定した場合に表示内容を変更させる有効期限判定表示変更手段と、
前記電池の電圧が該電圧について記憶したしきい値電圧以下になったか否かを判定し、当該しきい値電圧以下になったと判定した場合に表示内容を変更させる電池電圧判定表示変更手段と
を備えたことを特徴とする情報表示装置。
【請求項３】
前記有効期限判定表示変更手段が、
現在時刻を示す現在時刻情報を配信する時刻配信サーバから配信された現在時刻情報を用いて有効期限が過ぎたか否かを判定することを特徴とする請求項２記載の情報表示装置。
【請求項４】
表示すべき情報を予め定められた条件を満たしたときに電池の電力により表示するとともに電池の電力が不足しても表示内容を保持する表示手段と、前記電池の電力により、前記条件を満たしているか否かを判定し、条件を満たしていないと判定した場合に表示内容を変更させる条件判定表示変更手段と、を備える情報表示装置が行う情報表示変更方法であって、
前記電池の電圧が該電圧について記憶したしきい値電圧以下になったか否かを判定し、当該しきい値電圧以下になったと判定した場合に表示内容を変更させることを特徴とする情報表示変更方法。
【請求項５】
有効期限を持つ情報を電池の電力により表示するとともに電池の電力が不足しても表示内容を保持する表示手段と、前記電池の電力により、前記有効期限が過ぎたか否かを判定し、有効期限が過ぎたと判定した場合に表示内容を変更させる有効期限判定表示変更手段と、を備える情報表示装置が行う情報表示変更方法であって、
前記電池の電圧が該電圧について記憶したしきい値電圧以下になったか否かを判定し、当該しきい値電圧以下になったと判定した場合に表示内容を変更させることを特徴とする情報表示変更方法。
【請求項６】
前記有効期限判定表示変更手段が、
現在時刻を示す現在時刻情報を配信する時刻配信サーバから配信された現在時刻情報を用いて有効期限が過ぎたか否かを判定することを特徴とする請求項５記載の情報表示変更方法。
【請求項７】
請求項１ないし３のいずれかに記載の情報表示装置をコンピュータに構成させるコンピュータプログラム。
【請求項８】
請求項１ないし３のいずれかに記載の情報表示装置をコンピュータに構成させるコンピュータプログラムが格納された記録媒体。
【請求項９】
有効期限を持つ情報を電池の電力により表示するとともに電池の電力が不足しても表示内容を保持する表示手段と、
前記電池の電力により、前記有効期限が過ぎたか否かを判定し、有効期限が過ぎたと判定した場合に表示内容を変更させる有効期限判定表示変更手段と、
前記電池の電圧が該電圧について記憶したしきい値電圧以下になったか否かを判定し、当該しきい値電圧以下になったと判定した場合に表示内容を変更させる電池電圧判定表示変更手段と
を備えたことを特徴とする情報表示装置と、
前記情報表示装置に前記情報と前記有効期限とを記憶させるとともに、更新された前記有効期限を送信して前記情報表示装置に記憶させる情報配信サーバと
を備えたことを特徴とする情報表示システム。
【請求項１０】
前記有効期限判定表示変更手段が、
現在時刻を示す現在時刻情報を配信する時刻配信サーバから配信された現在時刻情報を用いて有効期限が過ぎたか否かを判定することを特徴とする請求項９記載の情報表示システム。
【発明の詳細な説明】
【技術分野】
【０００１】
本発明は、表示すべき情報を予め定められた条件を満たしたときに表示でき、且つ可搬性に優れた情報表示装置に関するものである。
【背景技術】
【０００２】
従来より、有効期限を持つ資格や権利を保有している資格等の保有者に対し、そのことを証明する内容を紙媒体に印刷した証書が与えられる。資格等の保有者は、その人に許された作業、商売、あるいは人の募集などの行為を行う場所にその証書を掲示等して、資格等の保有者であることを示すことができる。
【０００３】
なお、類似の技術を記載した文献としては下記の非特許文献１が知られている。
【非特許文献１】「TOPPAN Home Page」,[online], [平成１６年２月１９日検索]、インターネット<URL:http://www.toppan.co.jp/aboutus/release/article253.html>
【発明の開示】
【発明が解決しようとする課題】
【０００４】
しかしながら、現実的には、資格等の保有者が有効期限を過ぎた証書をうっかりと掲示したままにすることがある。そして、有効期限が証書に大きく印刷されていない場合は、第三者は有効期限が過ぎていることに気づかないことが多い。
【０００５】
また、証書は紙媒体に情報を印刷したものなので、書き換えが出来ず、そのため、有効期限が過ぎた場合には、証書を発行者が回収するか、資格等の保有者が自主的に廃棄しなければならない。
【０００６】
このような事情から、電気的に書き換え可能な、証書に代わる装置が望まれているが、かかる装置は可搬性が重視されるので、例えば、表示中において継続的に電力を供給しなければならない液晶パネルなどは敬遠される。
【０００７】
そこで本発明は、上記の課題に鑑みてなされたものであり、その目的とするところは、表示すべき情報を予め定められた条件を満たしたときに表示でき、且つ可搬性に優れた情報表示装置および情報表示システムを提供することにある。
【課題を解決するための手段】
【０００８】
上記の課題を解決するために、請求項１の本発明は、表示すべき情報を予め定められた条件を満たしたときに電池の電力により表示するとともに電池の電力が不足しても表示内容を保持する表示手段と、前記電池の電力により、前記条件を満たしているか否かを判定し、条件を満たしていないと判定した場合に表示内容を変更させる条件判定表示変更手段と、前記電池の電圧が該電圧について記憶したしきい値電圧以下になったか否かを判定し、当該しきい値電圧以下になったと判定した場合に表示内容を変更させる電池電圧判定表示変更手段とを備えたことを特徴とする情報表示装置をもって解決手段とする。
【０００９】
請求項１の本発明によれば、条件を満たしているか否かを判定し、条件を満たしていないと判定した場合に表示内容を変更させる条件判定表示変更手段を設けたことで、条件を満たさなくなった情報が表示されて把握される不都合を解消でき、これに加えて、この条件判定表示変更手段に電力を供給する電池の電圧がしきい値電圧以下になったと判定した場合に表示内容を変更させる電池電圧判定表示変更手段を備えたことで、条件判定表示変更手段を備えたにも拘わらず、その効果が得られなくなる不都合を解消できる。
【００１０】
請求項２の本発明は、有効期限を持つ情報を電池の電力により表示するとともに電池の電力が不足しても表示内容を保持する表示手段と、前記電池の電力により、前記有効期限が過ぎたか否かを判定し、有効期限が過ぎたと判定した場合に表示内容を変更させる有効期限判定表示変更手段と、前記電池の電圧が該電圧について記憶したしきい値電圧以下になったか否かを判定し、当該しきい値電圧以下になったと判定した場合に表示内容を変更させる電池電圧判定表示変更手段とを備えたことを特徴とする情報表示装置をもって解決手段とする。
【００１１】
請求項２の本発明によれば、有効期限が過ぎたと判定した場合に表示内容を変更させる有効期限判定表示変更手段を備えたことで、有効期限が過ぎて無効となった情報が有効なものとして把握される不都合を解消でき、これに加えて、この有効期限判定表示制御手段に電力を供給する電池の電圧がしきい値電圧以下になったと判定した場合に表示内容を変更させる電池電圧判定表示変更手段を備えたことで、有効期限判定表示変更手段を備えたにも拘わらず、その効果が得られなくなる不都合を解消できる。
【００１２】
請求項３の本発明は、前記有効期限判定表示変更手段が、現在時刻を示す現在時刻情報を配信する時刻配信サーバから配信された現在時刻情報を用いて有効期限が過ぎたか否かを判定することを特徴とする請求項２記載の情報表示装置をもって解決手段とする。
【００１３】
請求項３の本発明によれば、現在時刻を示す現在時刻情報を配信する時刻配信サーバから配信された現在時刻情報を用いて有効期限が過ぎたか否かを判定することで、有効期限判定表示変更手段を備えたにも拘わらず、その効果が得られなくなる不都合を解消できる。
【００１４】
請求項４の本発明は、表示すべき情報を予め定められた条件を満たしたときに電池の電力により表示するとともに電池の電力が不足しても表示内容を保持する表示手段と、前記電池の電力により、前記条件を満たしているか否かを判定し、条件を満たしていないと判定した場合に表示内容を変更させる条件判定表示変更手段と、を備える情報表示装置が行う情報表示変更方法であって、前記電池の電圧が該電圧について記憶したしきい値電圧以下になったか否かを判定し、当該しきい値電圧以下になったと判定した場合に表示内容を変更させることを特徴とする情報表示変更方法をもって解決手段とする。
【００１５】
請求項４の本発明によれば、条件を満たさなくなった情報が条件を満たすものとして把握される不都合を解消できる情報表示装置において、条件判定表示変更手段に電力を供給する電池の電圧がしきい値電圧以下になったと判定した場合に表示内容を変更させることで、条件判定表示変更手段を備えたにも拘わらず、その効果が得られなくなる不都合を解消できる。
【００１６】
請求項５の本発明は、有効期限を持つ情報を電池の電力により表示するとともに電池の電力が不足しても表示内容を保持する表示手段と、前記電池の電力により、前記有効期限が過ぎたか否かを判定し、有効期限が過ぎたと判定した場合に表示内容を変更させる有効期限判定表示変更手段と、を備える情報表示装置が行う情報表示変更方法であって、前記電池の電圧が該電圧について記憶したしきい値電圧以下になったか否かを判定し、当該しきい値電圧以下になったと判定した場合に表示内容を変更させることを特徴とする情報表示変更方法をもって解決手段とする。
【００１７】
請求項５の本発明によれば、有効期限が過ぎて無効となった情報が有効なものとして把握される不都合を解消できる情報表示装置において、有効期限判定表示制御手段に電力を供給する電池の電圧がしきい値電圧以下になったと判定した場合に表示内容を変更させることで、有効期限判定表示変更手段を備えたにも拘わらず、その効果が得られなくなる不都合を解消できる。
【００１８】
請求項６の本発明は、前記有効期限判定表示変更手段が、現在時刻を示す現在時刻情報を配信する時刻配信サーバから配信された現在時刻情報を用いて有効期限が過ぎたか否かを判定することを特徴とする請求項５記載の情報表示変更方法をもって解決手段とする。
【００１９】
請求項６の本発明によれば、現在時刻を示す現在時刻情報を配信する時刻配信サーバから配信された現在時刻情報を用いて有効期限が過ぎたか否かを判定することで、有効期限判定表示変更手段を備えたにも拘わらず、その効果が得られなくなる不都合を解消できる。
【００２０】
請求項７の本発明は、請求項１ないし３のいずれかに記載の情報表示装置をコンピュータに構成させるコンピュータプログラムをもって解決手段とする。
【００２１】
請求項７記載の本発明によれば、請求項１ないし３のいずれかに記載の情報表示装置をコンピュータに構成させるコンピュータプログラムにより流通性を高めることができる。
【００２２】
請求項８の本発明は、請求項１ないし３のいずれかに記載の情報表示装置をコンピュータに構成させるコンピュータプログラムが格納された記録媒体をもって解決手段とする。
【００２３】
請求項８記載の本発明によれば、請求項１ないし３のいずれかに記載の情報表示装置をコンピュータに構成させるコンピュータプログラムが格納された記録媒体により流通性を高めることができる。
【００２４】
請求項９の本発明は、有効期限を持つ情報を電池の電力により表示するとともに電池の電力が不足しても表示内容を保持する表示手段と、前記電池の電力により、前記有効期限が過ぎたか否かを判定し、有効期限が過ぎたと判定した場合に表示内容を変更させる有効期限判定表示変更手段と、前記電池の電圧が該電圧について記憶したしきい値電圧以下になったか否かを判定し、当該しきい値電圧以下になったと判定した場合に表示内容を変更させる電池電圧判定表示変更手段とを備えたことを特徴とする情報表示装置と、前記情報表示装置に前記情報と前記有効期限とを記憶させるとともに、更新された前記有効期限を送信して前記情報表示装置に記憶させる情報配信サーバとを備えたことを特徴とする情報表示システムをもって解決手段とする。
【００２５】
請求項９の本発明によれば、有効期限判定表示変更手段を備えたにも拘わらず、その効果が得られなくなる不都合を解消できることに加えて、更新された有効期限を情報表示装置に記憶させることができる。
【００２６】
請求項１０の本発明は、前記有効期限判定表示変更手段が、現在時刻を示す現在時刻情報を配信する時刻配信サーバから配信された現在時刻情報を用いて有効期限が過ぎたか否かを判定することを特徴とする請求項９記載の情報表示システムをもって解決手段とする。
【００２７】
請求項１０の本発明によれば、現在時刻を示す現在時刻情報を配信する時刻配信サーバから配信された現在時刻情報を用いて有効期限が過ぎたか否かを判定することで、有効期限判定表示変更手段を備えたにも拘わらず、その効果が得られなくなる不都合を解消できる。
【発明の効果】
【００２８】
本発明によれば、条件を満たしているか否かを判定し、条件を満たしていないと判定した場合に表示内容を変更させる条件判定表示変更手段を設けたことで、条件を満たさなくなった情報が表示されて把握される不都合を解消でき、これに加えて、この条件判定表示変更手段に電力を供給する電池の電圧がしきい値電圧以下になったと判定した場合に表示内容を変更させる電池電圧判定表示変更手段を備えたことで、条件判定表示変更手段を備えたにも拘わらず、その効果が得られなくなる不都合を解消できる。
【発明を実施するための最良の形態】
【００２９】
以下、本発明の実施の形態を図面を参照して説明する。
【００３０】
図１は、本発明の実施の形態に係る情報表示装置の構成図である。
【００３１】
情報表示装置１は、有効期限を持つ情報である証明の内容を表示する装置であり、電力供給がなくなった場合にも表示内容を保持できる電子ペーパの構成を有している。
【００３２】
すなわち、情報表示装置１は電池１１と、該電池１１の電力で表示がなされるとともに当該電力がなくなった場合にも表示内容を保持できる表示部１２と、電池１１の電力により表示部１２の表示制御を行うＩＣチップ型の制御部１３を備えている。
【００３３】
また、情報表示装置１では、制御部１３に接続されたアンテナ１４が表示部の周囲に張り巡らさている。
【００３４】
アンテナ１４は、現在時刻を示す現在時刻情報を無線で受信するものであるが、アンテナ１４で現在時刻情報を無線で受信する代わりに、情報表示装置１に時計１５を設け、この時計から現在時刻情報を取得する構成としてもよい。
【００３５】
制御部１３は、図示しない演算装置と記憶装置とを備えるコンピュータで構成され、演算装置が記憶装置のコンピュータプログラムを逐次実行することにより、記憶装置に記憶された情報を処理し、これにより表示部１２への表示を行うようになっている。
【００３６】
図２は、情報表示装置１を含む情報表示システムの構成図である。
【００３７】
情報表示装置１は、資格等の保有者に許された作業、商売、あるいは人の募集などの行為を行う場所に掲示等される。情報表示装置１の近傍には、無線通信機２を接続したクライアントコンピュータ３が設置される。クライアントコンピュータ３は、インターネットなどのネットワーク４に接続され、ネットワーク４には、証明の内容を記憶すための証明内容データベース５を接続した情報配信サーバ６と、現在時刻情報を配信する時刻配信サーバ７とが接続される。
【００３８】
図３は、情報表示装置１が資格等の保有者に配送される際のシーケンス図である。ここでは、証明の内容を記憶していない情報表示装置１が情報配信サーバ６側に用意され、この情報表示装置１の記憶装置には、電池１１の電圧についてのしきい値電圧が記憶されていることとする。
【００３９】
資格等の保有者が、その資格等の証明内容を表示する情報表示装置１の配送（発行）をクライアントコンピュータ３から情報配信サーバ６に申請する（Ｓ１）と、情報配信サーバ６は、用意された情報表示装置１の記憶装置に、証明の内容を示す証明内容情報と、その証明の内容に固有の鍵・証明書（その識別情報であるＤＮ（Distinguished Name）を含む）と、その証明の内容の有効期限を示す有効期限情報と、その証明の内容が無効になった時に表示部１２に表示される無効時表示情報と、電池１１の電圧が不足したときに表示部１２に表示される電圧不足時表示情報を記憶させる（Ｓ３）。
【００４０】
これによって制御部１３の記憶装置には、図４に示すように、しきい値電圧とこれらの情報とが記憶される。
【００４１】
無効時表示情報は、例えば、証明内容情報に対し、「この内容は有効期限が過ぎているので無効です。」といった情報を付加したものである。また、電圧不足時表示情報は、証明内容情報に対し、「この内容は電池の電圧不足により表示されたままになっていますので、有効か無効かの確認はご自身で行って下さい。」といった情報を付加したものである。
【００４２】
情報配信サーバ６は、情報表示装置１にこれら情報を格納するとともに、証明内容データベース５に、当該鍵・証明書のＤＮと、当該証明内容情報と、当該有効期限情報と、当該無効時表示情報と、当該電圧不足時表示情報とを記憶させる（Ｓ５）。
【００４３】
これによって証明内容データベース５には、図５に示すように、これらの情報が記憶される。
【００４４】
そして、このように証明の内容を記憶した情報表示装置１が、資格等の保有者に配送される。
【００４５】
次に、証明の正当性を検証する証明検証処理について説明する。
【００４６】
資格等の保有者は、情報表示装置１によってなされる証明の正当性を検証するときは、ＩＣカードで行われているような、一般的なチャレンジ＆レスポンスを行う。ＩＣカードでは、鍵・証明書の利用を可能とするためにＰＩＮコード入力などによる所有者認証を行うが、情報表示装置１では、ＰＩＮコードその他による所有者認証を行っても、行わなくてもどちらでもよい。例えば、情報表示装置１の正当性のみを検証する場合には、ＰＩＮコードなどによる所有者認証を行う必要はないが、情報表示装置１の正当性を検証し、かつその所有者の認証を行う場合には、ＰＩＮコードなどによる所有者認証を行う必要がある。
【００４７】
次に、配送された情報表示装置１が行う処理を説明する。ここでは、制御部１３の演算装置が、記憶装置から証明内容情報を読み出し、これを表示部１２に表示させたこととして説明を行う。
【００４８】
情報表示装置１の制御部１３に含まれた演算装置は、制御部１３の記憶装置に記憶された有効期限判定表示変更プログラムを実行して有効期限判定表示変更処理（条件判定表示変更処理）を行うとともに、これと平行して、記憶装置に記憶された電池電圧判定表示変更プログラムを実行して電池電圧判定表示変更処理を行う。
【００４９】
先ず、有効期限判定表示変更処理を説明する。
【００５０】
図６は、有効期限判定表示変更処理のフローチャートである。
【００５１】
先ず、制御部１３の演算装置は、記憶装置から有効期限情報を読み出す（Ｓ１１）とともに時刻配信サーバ７からクライアントコンピュータ３、無線通信機２及びアンテナ１４を介して、あるいは時計１５から、現在時刻を示す現在時刻情報を取得する（Ｓ１３）。
【００５２】
そして、制御部１３の演算装置は、有効期限情報と現在時刻情報とを用いて、当該有効期限情報によって示された有効期限が過ぎているか否かを判定する（Ｓ１５）。
【００５３】
ここで、有効期限が過ぎていないと判定した場合には、予め定められた長さの時間だけ待機し（Ｓ１７）、当該時間が経過したら制御をステップＳ１１に戻す。
【００５４】
一方、有効期限が過ぎたと判定した場合に、制御部１３の演算装置は、記憶装置から無効時表示情報を読み出し（Ｓ１８）、これまで表示されていた証明内容情報を消去し、図２に示すように、この無効時表示情報を表示部１２に表示させる（Ｓ１９）。
【００５５】
これにより、有効期限が過ぎて無効となった証明の内容が有効なものとして把握される不都合を解消できる。
【００５６】
ところで、有効期限が過ぎる前に電池１１の電圧が不足すると、電池１１から電力を受ける制御部１３が機能しないので有効期限判定表示変更処理が行えない。つまり、当該処理を行う構成としたにも拘わらず、その効果が得られなくなる。そこで、情報表示装置１では、これを電池電圧判定表示変更処理を行うことで解決している。
【００５７】
図７は、電池電圧判定表示変更処理のフローチャートである。
【００５８】
先ず、制御部１３の演算装置は、記憶装置からしきい値電圧を読み出す（Ｓ２１）とともに電池１１の電圧を検出する（Ｓ２３）。
【００５９】
次に、制御部１３の演算装置は、検出した電圧が読み出したしきい値電圧よりも低いか否かを判定する（Ｓ２５）。
【００６０】
ここで、電池１１の電圧がしきい値電圧よりも低いと判定した場合には、予め定められた長さの時間だけ待機し（Ｓ２７）、当該時間が経過したら制御をステップＳ２１に戻す。
【００６１】
一方、電池１１の電圧がしきい値電圧よりも低いと判定した場合に、制御部１３の演算装置は、記憶装置から電圧低下時表示情報を読み出し（Ｓ２８）、これまで表示されていた証明内容情報を消去し、図２に示すように、電圧低下時表示情報を表示部１２に表示させる（Ｓ２９）。
【００６２】
これにより、有効期限判定表示変更処理を行う構成としたにも拘わらず、その効果が得られなくなる不都合を解消できる。
【００６３】
なお、情報表示装置１で表示される証明の内容の有効期限が更新される際には、前述した証明検証処理が行われた上で、図８に示すように、先ず、クライアントコンピュータ３が有効期限の更新を情報配信サーバ６に要求し（Ｓ３１）、情報配信サーバ６は、有効期限情報を更新する（Ｓ３３）。そして、情報配信サーバ６は、更新した有効期限情報を証明内容データベース５に記憶させる（Ｓ３５）とともにクライアントコンピュータ３に送信する（Ｓ３７）。クライアントコンピュータ３は、送信された有効期限情報を無線通信機２を介し、無線で情報表示装置１に送信する（Ｓ３９）。情報表示装置１は、無線で送信された有効期限情報をアンテナ１４で受信し、これを制御部１３の記憶装置に記憶させる（Ｓ４１）。
【００６４】
以上説明したように、本実施の形態に係る情報表示装置１によれば、条件を満たしているか否かを判定し、条件を満たしていないと判定した場合に表示内容を変更させる条件判定表示変更手段としての制御部１３を設けたことで、条件を満たさなくなった情報が表示されて把握される不都合を解消でき、これに加えて、この条件判定表示変更手段に電力を供給する電池の電圧がしきい値電圧以下になったと判定した場合に表示内容を変更させる電池電圧判定表示変更手段としての制御部１３を備えたことで、条件判定表示変更手段を備えたにも拘わらず、その効果が得られなくなる不都合を解消できる。
【００６５】
また、本実施の形態に係る情報表示装置１によれば、有効期限が過ぎたと判定した場合に表示内容を変更させる有効期限判定表示変更手段としての制御部１３を備えたことで、有効期限が過ぎて無効となった情報が有効なものとして把握される不都合を解消でき、これに加えて、この有効期限判定表示制御手段に電力を供給する電池の電圧がしきい値電圧以下になったと判定した場合に表示内容を変更させる電池電圧判定表示変更手段としての制御部１３を備えたことで、有効期限判定表示変更手段を備えたにも拘わらず、その効果が得られなくなる不都合を解消できる。
【００６６】
なお、本実施の形態の情報表示装置１を構成させるコンピュータプログラムである有効期限判定表示変更プログラムと電池電圧判定表示変更プログラムは、メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【図面の簡単な説明】
【００６７】
【図１】本発明の実施の形態に係る情報表示装置の構成図である。
【図２】情報表示装置１を含む情報表示システムの構成図である。
【図３】情報表示装置１が資格等の保有者に配送される際のシーケンス図である。
【図４】情報表示装置１に記憶される情報を示す図である。
【図５】証明内容データベース５に記憶される情報を示す図である。
【図６】有効期限判定表示変更処理のフローチャートである。
【図７】電池電圧判定表示変更処理のフローチャートである。
【図８】証明の内容の有効期限を更新するときのシーケンス図である。
【符号の説明】
【００６８】
１…情報表示装置
２…無線通信機
３…クライアントコンピュータ
４…ネットワーク
５…証明内容データベース
６…情報配信サーバ
７…時刻配信サーバ
１１…電池
１２…表示部
１３…制御部
１４…アンテナ
１５…時計
【図１】
2005292699.tif 000003
【図２】
2005292699.tif 000004
【図３】
2005292699.tif 000005
【図４】
2005292699.tif 000006
【図５】
2005292699.tif 000007
【図６】
2005292699.tif 000008
【図７】
2005292699.tif 000009
【図８】
2005292699.tif 000010